(57)【要約】      （修正有）【課題】カウンター孔に一部が挿入された状態で設置されるビルトインコンロにおいて、トッププレートから零れた煮汁等がカウンター孔側に入り込むことをより確実に防止するビルトインコンロを提供する。【解決手段】ビルトインコンロは、筐体部３０の張出部５４がカウンター孔の周囲の載置面１０２Ａに支持された状態で設置される。パッキン５０は、環状の固定部５２が張出部５４に沿って固定され、固定部５２と一体的な張出部５４が、固定部５２の外側に張り出した環状形態をなす。張出部５４の上面にはトッププレート２の周縁部に沿うように突出部５６が環状に形成される。ビルトインコンロ１００の設置時には、載置面１０２Ａとトッププレート２の周縁部との間に挟み込まれた状態で張出部５４が配置され、突出部５６は、トッププレート２の周縁部と接触しつつ張出部５４を載置面１０２Ａ側に付勢する弾性復帰力を生じさせる、【選択図】図１０
2019100578.tif 000002
【特許請求の範囲】
【請求項１】
ガスバーナと、
前記ガスバーナを収容する収容空間の周囲に配置される周壁部と、前記周壁部の上端部において外側へと環状に張り出すように形成された被支持部と、を備え、上端側が開放して構成された筐体部と、
板状に構成されるとともに前記筐体部の上端側を閉塞するように取り付けられ、自身の周縁部が前記被支持部の上方側を覆うように配置されるトッププレートと、
前記筐体部の前記被支持部に沿って設けられるパッキンと、
を有し、
キッチンカウンターの所定の載置面に形成されたカウンター孔を通してキッチンカウンターの内部に前記周壁部が収容されつつ、前記被支持部が前記カウンター孔の周囲の前記載置面に支持された状態で設置されるビルトインコンロであって、
前記パッキンは、
前記被支持部に沿うように環状に配置されるとともに前記被支持部に固定される固定部と、
前記固定部に一体的に連結されるとともに前記固定部の外側に張り出した環状形態で配置され、且つ前記ビルトインコンロの設置時に前記載置面と前記トッププレートの前記周縁部との間に挟み込まれた状態で配置される、弾性変形及び撓み変形が可能な張出部と、
前記張出部の上面において上方側に突出して形成されるとともに前記トッププレートの前記周縁部に沿うように環状に配置され、前記ビルトインコンロの設置時に前記トッププレートの前記周縁部と接触しつつ前記張出部を前記載置面側に付勢する弾性復帰力を生じさせる、弾性変形可能な突出部と、
を備える
ビルトインコンロ。
【請求項２】
前記張出部は、前記ビルトインコンロが前記キッチンカウンターに設置されていない非設置状態において、前記固定部の外側且つ下方側に張り出す構成をなす
請求項１に記載のビルトインコンロ。
【請求項３】
前記突出部は、
前記ビルトインコンロが前記キッチンカウンターに設置されていない非設置状態において当該突出部が前記張出部に沿って延びる方向と直交する方向の断面をみたとき、当該突出部の少なくとも一部と前記張出部との間に空間が存在し、
前記ビルトインコンロの設置時には、前記トッププレートの前記周縁部と前記張出部とに挟まれつつ、当該突出部の少なくとも一部が前記張出部に向けて弾性変形する
請求項１又は請求項２に記載のビルトインコンロ。
【発明の詳細な説明】
【技術分野】
【０００１】
本発明は、ビルトインコンロに関するものである。
【背景技術】
【０００２】
特許文献１には、システムキッチンのカウンタートップに開設されたカウンター孔に落とし込まれて使用されるビルトインコンロの一例が開示されている。このビルトインコンロは、ケース開口部の外周に張り出し且つカウンター孔の周縁部に係合する係合フランジが設けられ、その外周全域に沿って弾性パッキンが装着されている。そして、天板に形成された係合屈曲部が、弾性パッキンに対して上方から当接した構成をなしている。
【先行技術文献】
【特許文献】
【０００３】
【特許文献１】特開２００４−２８４０５号公報
【発明の概要】
【発明が解決しようとする課題】
【０００４】
この種のビルトインコンロでは、カウンター孔の周縁部とトッププレートとの間に環状のパッキンが介在することで、トッププレート側から零れた煮汁等がカウンター孔側に入り込むことを防いでいる。しかし、単にパッキンが介在するだけでは、キッチンカウンターにおけるカウンター孔近傍の載置面の一部が部分的に下方に反っていたり、その他の変形があったりする場合等、載置面の平面性に狂いが生じる場合には、パッキンの一部がカウンター孔近傍の載置面から浮き上がりやすくなる。このようなパッキンの浮き上がりが生じると、パッキンとカウンター孔周辺の載置面との間の密着性が確保できなくなり、浮き上がり部分の近傍に生じる隙間（パッキンと載置面との間の隙間）からカウンター孔側に煮汁等が入り込みやすくなる。
【０００５】
本発明は、上述した課題を解決するためになされたものであり、キッチンカウンターに形成されたカウンター孔に一部が挿入された状態で設置されるビルトインコンロにおいて、トッププレートから零れた煮汁等の液体がカウンター孔側に入り込むことをより確実に防止し得る構成を実現することを目的とするものである。
【課題を解決するための手段】
【０００６】
本発明の一つの例であるビルトインコンロは、
ガスバーナと、
前記ガスバーナを収容する収容空間の周囲に配置される周壁部と、前記周壁部の上端部において外側へと環状に張り出すように形成された被支持部と、を備え、上端側が開放して構成された筐体部と、
板状に構成されるとともに前記筐体部の上端側を閉塞するように取り付けられ、自身の周縁部が前記被支持部の上方側を覆うように配置されるトッププレートと、
前記筐体部の前記被支持部に沿って設けられるパッキンと、
を有し、
キッチンカウンターの所定の載置面に形成されたカウンター孔を通してキッチンカウンターの内部に前記周壁部が収容されつつ、前記被支持部が前記カウンター孔の周囲の前記載置面に支持された状態で設置されるビルトインコンロであって、
前記パッキンは、
前記被支持部に沿うように環状に配置されるとともに前記被支持部に固定される固定部と、
前記固定部に一体的に連結されるとともに前記固定部の外側に張り出した環状形態で配置され、且つ前記ビルトインコンロの設置時に前記載置面と前記トッププレートの前記周縁部との間に挟み込まれた状態で配置される、弾性変形及び撓み変形が可能な張出部と、
前記張出部の上面において上方側に突出して形成されるとともに前記トッププレートの前記周縁部に沿うように環状に配置され、前記ビルトインコンロの設置時に前記トッププレートの前記周縁部と接触しつつ前記張出部を前記載置面側に付勢する弾性復帰力を生じさせる、弾性変形可能な突出部と、
を備える。
【発明の効果】
【０００７】
上記ビルトインコンロは、ビルトインコンロの設置時に筐体部の上端部に設けられた被支持部がキッチンカウンターに支持される構成をなし、この被支持部に沿うように環状のパッキンが取り付けられている。そして、パッキンにおいて張出部が設けられ、この張出部は、弾性変形及び撓み変形が可能に構成され、ビルトインコンロの設置時にキッチンカウンターの載置面とトッププレートの周縁部との間に挟み込まれた状態で配置される。このような構成であるため、筐体部の上端部で張り出す被支持部とキッチンカウンターの載置面との間をパッキンによってシールすることができる。しかも、張出部の上面には、上方側に突出する突出部がトッププレートの周縁部に沿うように環状に形成され、この突出部は、ビルトインコンロの設置時にトッププレートの周縁部と接触しつつ張出部を載置面側に付勢するように弾性復帰力を生じさせる構成をなす。このような構成であるため、載置面の反り等に起因して被支持部や固定部の一部が若干浮き上がったとしても、その浮き上がり部分近傍に位置する張出部は被支持部や固定部と同様に浮き上がるのではなく、突出部の弾性復帰力によって載置面側に撓むように変位することになる。このような変位が張出部において部分的に生じるため、被支持部や固定部の一部が若干浮き上がったとしても張出部はキッチンカウンターの載置面に密着した状態で維持されやすくなる。
よって、トッププレートから零れた煮汁等の液体がカウンター孔側に入り込むことをより確実に防止し得る。
【図面の簡単な説明】
【０００８】
【図１】図１は、実施例１のビルトインコンロを概略的に例示する斜視図である。
【図２】図２は、図１のビルトインコンロの平面図である。
【図３】図３は、図２のＡ−Ａ断面をカウンターキッチンの概念図とともに概略的に例示する断面図である。
【図４】図４は、図１のビルトインコンロにおいてトッププレートを取り外した状態を例示する平面図である。
【図５】図５は、図４の構成の側面図である。
【図６】図６は、図４のＣ−Ｃ断面を概略的に例示する断面図である。
【図７】図７は、図６で示す断面の一部を拡大して示す断面拡大図である。
【図８】図８は、図３で示す断面の一部を拡大して示す断面拡大図である。
【図９】図９は、図２のＢ−Ｂ断面の一部を拡大して示す断面図である。
【図１０】図１０は、カウンターキッチンに設置された設置時における図９の位置の構成を示す断面図である。
【図１１】図１１は、載置面の反りに起因して浮きが生じている場合の図９の位置の構成を示す断面図である。
【発明を実施するための形態】
【０００９】
以下、本発明の望ましい例を示す。但し、本発明は、以下の例に限定されない。
張出部は、ビルトインコンロがキッチンカウンターに設置されていない非設置状態において、固定部の外側且つ下方側に張り出す構成であってもよい。
このようにすれば、何らかの理由（例えばビルトインコンロの自重に起因する水平移動など）によってパッキンの一部が水平方向に変形した場合であっても、張出部とキッチンカウンターの載置面との間の密着性が確保されやすくなる。また、仮に浮き上がり部分近傍において突出部がトッププレートの周縁部に接触しないような事態が生じても、張出部自体が非設置状態のときの形状（固定部の外側且つ下方側に張り出す状態）に近づきやすいため、張出部はキッチンカウンターの載置面に密着した状態で維持されやすくなる。
【００１０】
突出部は、ビルトインコンロがキッチンカウンターに設置されていない非設置状態において当該突出部が張出部に沿って延びる方向と直交する方向の断面をみたとき、当該突出部の少なくとも一部と張出部との間に空間が存在していてもよい。そして、突出部は、ビルトインコンロの設置時に、トッププレートの周縁部と張出部とに挟まれつつ、当該突出部の少なくとも一部が張出部に向けて弾性変形するようになっていてもよい。
このようにすれば、ビルトインコンロの設置時に空間の領域を低減又は無くすように突出部を変形させることができる。突出部の高さが低減されにくい構成（突出部を高さを低減させるためにより大きな力が必要な構成）であると、ビルトインコンロの設置時に突出部の高さが大きすぎてトッププレートが浮き上がってしまうような事態が生じやすくなるが、上記構成によれば、このような事態が生じにくくなる。
【００１１】
＜実施例１＞
以下、本発明の一例を具現化したビルトインコンロ１について、図面に基づいて説明する。これらの図面は、本発明が採用しうる技術的特徴を説明するために用いられるものである。以下に記載されている装置の構造などは、特に特定的な記載がない限り、それのみに限定する趣旨ではなく、単なる説明例である。
【００１２】
ビルトインコンロ１は、図１、図２のような外観をなし、図３のような内部構成となっている。ビルトインコンロ１は、図３で概念的に示すキッチンカウンター１００の所定の載置面１０２Ａに形成されたカウンター孔１０４を通してキッチンカウンター１００の内部に一部（後述する周壁部３２等）が収容されつつ、筐体部３０の一部（被支持部３４）がカウンター孔１０４の周囲の載置面１０２Ａに支持された状態で設置される。図１のように、ビルトインコンロ１は、板状に構成されたトッププレート２が筐体部３０（図４〜図６等参照）に対して着脱可能に取り付けられてなる。
【００１３】
図４、図５のように、筐体部３０は、ガスバーナ５，６などの各種部品を収容する収容空間の周囲に配置される周壁部３２と、周壁部３２の上端部において外側へと環状に張り出すように形成された被支持部３４と、を備え、上端部３０Ａ側が開放した箱状のケース体として構成されている。周壁部３２は、前後左右のそれぞれに壁部が配置され、これら壁部によって囲まれた内部空間にガスバーナ５，６などの各種部品を収容する構成をなす。
【００１４】
図１、図２で示すトッププレート２は、板状に構成された部品であり、筐体部３０の上端部３０Ａ（図４、図５等）を覆うことにより筐体部３０の上端側に形成された開口部を閉塞する形で、筐体部３０に対して上方側から組み付けられる。トッププレート２は、矩形状の周縁部２Ｂを有しており、この周縁部２Ｂは、筐体部３０における被支持部３４の上方側を覆うように配置される。なお、本構成において、周縁部２Ｂは、トッププレート２のうちの被支持部３４を覆う被覆部及びその被覆部の外側に配置される部分の総称である。トッププレート２は、図２のように筐体部３０に組みつけられた状態でビルトインコンロ１の上面部として機能する。トッププレート２は、筐体部３０に対して着脱可能とされており、トッププレート２の左右両側にはトッププレート２を厚さ方向に貫通した形で開口部が形成されている。本構成では、トッププレート２において、ガスバーナ５，６の周囲に平坦な上面を有する平坦部２Ａが設けられており、この平坦部２Ａの上面と直交する方向をビルトインコンロ１の上下方向とする。
【００１５】
図１、図２のように、トッププレート２の左側の開口部の内側にはガスバーナ５が設けられ、右側の開口部の内側にはガスバーナ６が設けられている。それぞれの開口部の上側には五徳１１，１２が設けられている。五徳１１，１２は、それぞれの上面に調理鍋（図示略）等の調理容器を載置し得る構成となっている。ガスバーナ５，６は、燃焼ガスを燃焼させて五徳１１，１２に載置された調理容器を加熱するように機能する。なお、本構成では、五徳１１，１２上に平坦な板材を配置したときのその板面と直交する方向がビルトインコンロ１の上下方向となっている。ガスバーナ５の中心にはセンサ部１５が設けられ、ガスバーナ６の中心にはセンサ部１６が設けられている。ビルトインコンロ１の上面側において、トッププレート２の前端寄り且つ右端寄りの領域には、トッププレート２を貫通した形で点火スイッチ２１，２２がそれぞれ設けられ、左側の点火スイッチ２１は、ガスバーナ５の点火操作を行うためのスイッチとなっており、右側の点火スイッチ２２は、ガスバーナ６の点火操作を行うためのスイッチとなっている。トッププレート２の後端寄りの領域には、図示しないグリル排気口を覆う形で排気カバー部１３がトッププレート２の一部として構成され、この排気カバー部１３には複数の排気孔１３Ａが形成されている。ビルトインコンロ１の前面にはグリル扉１７とグリル点火スイッチ２３とが各々設けられている。グリル点火スイッチ２３は、図示しないグリルバーナの点火操作を行うためのスイッチとして構成されている。
【００１６】
（パッキン及び周辺構成）
図４〜図６のように、パッキン５０は、筐体部３０の被支持部３４に沿って設けられ、被支持部３４の周囲に環状に取り付けられている。本構成では、前後左右の壁部（前壁部３２Ａ、後壁部３２Ｂ、一対の側壁部（側壁部３２Ｃとその反対側の側壁部））を備えた形で周壁部３２が構成され、被支持部３４は、前壁部３２Ａの上端部において前側に張り出すように設けられる前側の被支持部（左右方向に沿って延びる被支持部）と、後壁部３２Ｂの上端部において後ろ側に張り出すように設けられる後ろ側の被支持部（左右方向に沿って延びる被支持部）と、左右方向一方側の側壁部（側壁部３２Ｃとは反対側の側壁部）の上端部においてその一方側に張り出すように設けられる左右方向一方側の被支持部（前後方向に沿って延びる被支持部）と、左右方向他方側の側壁部３２Ｃの上端部においてその他方側に張り出すように設けられる左右方向他方側の被支持部（前後方向に沿って延びる被支持部）と、を備えている。これら、前側の被支持部、後ろ側の被支持部、左右方向一方側の被支持部、左右方向他方側の被支持部が連結された形で被支持部３４が矩形枠状に構成されている。このように構成された被支持部３４の外縁部（外側の周縁部）に沿うようにパッキン５０が配置されている。パッキン５０のうち、被支持部３４の前端側部分（前側の被支持部）に沿って配置される部分は左右方向に延びており、被支持部３４の後端側部分（後ろ側の被支持部）に沿って配置される部分は左右方向に延びており、被支持部３４の左右方向一端側部分（左右方向一方側の被支持部）に沿って配置される部分は前後方向に沿って延びており、被支持部３４の左右方向他端側部分（左右方向他方側の被支持部）に沿って配置される部分は前後方向に沿って延びている。
【００１７】
図７〜図１０はいずれも、突出部５６が張出部５４に沿って延びる方向と直交する方向の断面をみた図である。図７は、図４の構成におけるＣ−Ｃ断面のうちの一部（パッキン５０のうち、被支持部３４の前端側部分（前側の被支持部）に沿って配置される部分の近傍）を拡大して示している。図７で示す切断面の位置では、被支持部３４（具体的には、被支持部３４の前端側部分（前側の被支持部））の延びる方向が左右方向となっているため、張出部５４が被支持部３４に沿って延びる方向も左右方向であり、突出部５６が張出部５４に沿って延びる方向も左右方向である。従って、図７の断面は、左右方向と直交する向きの断面（前後方向及び上下方向と平行な平面方向の断面）である。また、図８は、トッププレート２が組み付けられている場合の図７と同位置の断面であり、この断面も、左右方向と直交する向きの断面（前後方向及び上下方向と平行な平面方向の断面）である。一方、図９は、図２の構成におけるＢ−Ｂ断面のうちの一部（パッキン５０のうち、被支持部３４の左右方向一端側部分（左右方向一方側の被支持部）に沿って配置される部分の近傍）を拡大して示している。図９で示す切断面の位置では、被支持部３４（具体的には、被支持部３４の左右方向一端側部分（左右方向一方側の被支持部））の延びる方向が前後方向となっているため、張出部５４が被支持部３４に沿って延びる方向も前後方向であり、突出部５６が張出部５４に沿って延びる方向も前後方向である。従って、図９の断面は、前後方向と直交する向きの断面（左右方向及び上下方向と平行な平面方向の断面）である。
【００１８】
ビルトインコンロ１がキッチンカウンター１００に設置されていない非設置状態のときには、パッキン５０は、図７のような自然状態をなす。一方、ビルトインコンロ１がキッチンカウンター１００に設置された設置時には、図８、図９のように自然状態から変形した状態となる。パッキン５０は、図８、図９のように、環状且つ矩形枠状に構成されるパッキン５０の周方向のどの位置でも、各位置におけるパッキン５０の延出方向と直交する平面方向に切断したときの切断面の形状が同様の断面形状をなす。
【００１９】
パッキン５０は、固定部５２、張出部５４、突出部５６を備える。
固定部５２は、筐体部３０の上端部３０Ａにおいてフランジ状に構成された被支持部３４に沿うように環状に配置され、被支持部３４の周縁に固定される。具体的には、図９のように、パッキン５０の周方向の大部分の位置において、パッキン５０の延出方向と直交する平面方向に切断したときの切断面の形状は、被支持部３４の外縁部付近を上下に挟み込む形状となっており、且つ、上下に挟み込む部分の下端部に、リブ状の凸部５２Ａが形成された形状となっている。図９の例では、固定部５２の一部をなす上側被覆部５３Ａと下側被覆部５３Ｂとによって被支持部３４の外縁部付近が上下に挟み込まれており、上側被覆部５３Ａと下側被覆部５３Ｂとが連結部５３Ｃを介して一体的に連結されている。凸部５２Ａは、下側被覆部５３Ｂにおいて下方側に凸となるように形成されており、被支持部３４が延びる方向に沿って延びている。例えば、図９で示す切断面の位置では、被支持部３４の延びる方向が前後方向となっているため、凸部５２Ａが被支持部３４に沿って延びる方向も前後方向である。
【００２０】
張出部５４は、弾性変形及び撓み変形が可能に構成され、図８、図９のように固定部５２に一体的に連結されるとともに固定部５２の外側に張り出した環状形態で配置される。具体的には、図８、図９のように突出部５６が張出部５４に沿って延びる方向と直交する方向の断面（具体的には、切断位置でのパッキン５０の延出方向と直交する平面方向に切断したときの切断面）を見たとき、張出部５４は、上述した連結部５３Ｃの位置を起点として、この連結部５３Ｃから遠ざかる側（外側）に延びている。具体的には、図８、図９のような切断面での張出部５４の形状は、固定部５２から遠ざかるにつれて下方位置となるように斜め下側に延びている。このように、パッキン５０は、パッキン５０の周方向のどの位置でも、パッキン５０が延びる方向と直交する平面方向の切断面における張出部５４の形状は、連結部５３Ｃから外側に遠ざかるにつれて下方位置となる傾斜形状となっており、このような張出部５４が全周にわたって形成されている。
【００２１】
突出部５６は、弾性変形及び撓み変形が可能に構成され、張出部５４の上面において上方側に突出して形成されるとともにトッププレート２の周縁部２Ｂに沿うように環状に配置されている。具体的には、図８、図９のように突出部５６が張出部５４に沿って延びる方向と直交する方向の断面（具体的には、切断位置でのパッキン５０の延出方向と直交する平面方向に切断したときの切断面）を見たとき、突出部５６は、張出部５４の上面において上方側に突出した爪状形態をなしており、当該断面において張出部５４とは反対側に凸となるように湾曲した円弧状の形態をなす。この突出部５６は、図７のように筐体部３０にトッププレート２が取り付けられていない状態では張出部５４からの突出量が相対的に大きく、図８、図９のように筐体部３０にトッププレート２が取り付けられた状態では、トッププレート２の周縁部２Ｂ付近によって押圧されることで先端部側が張出部５４側に近づいた状態となり、図７のときよりも突出量が相対的に小さくなる。図８、図９の状態のときには、突出部５６には、図７のような形状に戻ろうとする力（弾性復帰力）が生じている。このように突出部５６が弾性復帰しようとする力は、パッキン５０における周方向の大部分の位置又は周方向の全部の位置において同様に生じている。
【００２２】
図９のように、ビルトインコンロ１がキッチンカウンター１００に設置されていない非設置状態において突出部５６が張出部５４に沿って延びる方向と直交する方向の断面をみたとき、張出部５４は、固定部５２の外側且つ下方側に張り出す構成をなしている。そして、突出部５６の少なくとも一部と張出部５４との間に空間９０が存在するようになっている。具体的には、上述の非設置状態において上記断面をみたとき、突出部５６は、上方側となるにつれて固定部５２側に近づくように湾曲して延出した形態をなすとともに、張出部５４における当該突出部５６よりも内側に配置された内側部分との間に空間９０を生じさせる形態をなしている。
【００２３】
一方、図１０のように、カウンター孔１０４の周囲全周においてパッキン５０によって覆われる部分の載置面１０２Ａが平坦面である場合、ビルトインコンロ１がキッチンカウンター１００に設置された設置時には、固定部５２の下端部に設けられた凸部５２Ａが載置面１０２Ａに接触した状態となり、張出部５４は、載置面１０２Ａとトッププレート２の周縁部２Ｂとの間に挟み込まれた状態で配置される。そして、この設置時には、突出部５６は、トッププレート２の周縁部２Ｂと張出部５４とに挟まれつつ少なくとも一部が張出部５４側に近づくように張出部５４に向けて弾性変形するようになっており、より具体的には、非設置状態のときよりも上記空間９０の領域を低減させた状態又は空間９０を生じさせない状態となるように弾性変形する。このように設置時には、突出部５６は、トッププレート２の周縁部２ｂと接触しつつ張出部５４を載置面１０２Ａ側に付勢する弾性復帰力を生じさせた状態で維持される。このような弾性復帰力が生じる構成であるため、仮に、カウンター孔１０４付近において載置面１０２Ａに反りが生じており、この反りに起因して図１１のように被支持部３４及び凸部５２Ａ付近が載置面１０２Ａから離間するように浮きあがったとしても、突出部５６が自然状態に戻ろうとする力によって張出部５４が下方側に押し下げられ、図１１のように張出部５４と載置面１０２Ａとの接触状態が維持されることになる。例えば、図４、図６のようにフランジ状に構成された被支持部３４の前端部及び後端部付近の載置面１０２Ａが若干高く、被支持部３４の前後方向中央位置付近の載置面１０２Ａが低くなるような反り（中央側が下向きに若干凹むような反り）が生じている場合、前後方向中央部付近のパッキン５０では、図１１のような変形が生じることになり、中央部付近に下反りが生じていても密着性が維持されることになる。
【００２４】
次に、本構成の主な効果を例示する。
ビルトインコンロ１は、キッチンカウンター１００に設置された設置時に筐体部３０の上端部３０Ａに設けられた被支持部３４がキッチンカウンター１００に支持される構成をなし、この被支持部３４に沿うように環状のパッキン５０が取り付けられている。そして、パッキン５０において張出部５４が設けられ、この張出部５４は、弾性変形及び撓み変形が可能に構成され、図１０のように、ビルトインコンロ１の設置時には、キッチンカウンター１００の載置面１０２Ａとトッププレート２の周縁部２Ｂとの間に挟み込まれた状態で配置される。このような構成であるため、筐体部３０の上端部３０Ａで張り出す被支持部３４とキッチンカウンター１００の載置面１０２Ａとの間をパッキン５０によってシールすることができる。しかも、張出部５４の上面には、上方側に突出する突出部５６がトッププレート２の周縁部２Ｂに沿うように環状に形成され、この突出部５６は、ビルトインコンロの設置時にトッププレート２の周縁部２Ｂと接触しつつ張出部５４を載置面１０２Ａ側に付勢するように弾性復帰力を生じさせる構成をなす。このような構成であるため、載置面１０２Ａの反り等に起因して図１１のように被支持部３４や固定部５２の一部が若干浮き上がったとしても、その浮き上がり部分近傍に位置する張出部５４は被支持部３４や固定部５２と同様に浮き上がるのではなく、突出部５６の弾性復帰力によって載置面１０２側に撓むように変位することになる。このような変位が張出部５４において部分的に生じるため、被支持部３４や固定部５２の一部が若干浮き上がったとしても張出部５４はキッチンカウンター１００の載置面１０２Ａに密着した状態で維持されやすくなる。
よって、トッププレート２から零れた煮汁等の液体がカウンター孔１０４側に入り込むことをより確実に防止し得る。
【００２５】
図９のように、張出部５４は、ビルトインコンロ１がキッチンカウンター１００に設置されていない非設置状態において、固定部５２の外側且つ下方側に張り出す構成をなす。このようにすれば、何らかの理由（例えばビルトインコンロ１の自重に起因する水平移動など）によってパッキン５０の一部が水平方向に変形した場合であっても、張出部５４とキッチンカウンター１００の載置面１０２Ａとの間の密着性が確保されやすくなる。また、仮に浮き上がり部分近傍において突出部５６がトッププレート２の周縁部２Ｂに接触しないような事態が生じても、張出部５４自体が非設置状態のときの形状（固定部５２の外側且つ下方側に張り出す状態）に近づきやすいため、張出部５４はキッチンカウンター１００の載置面１０２Ａに密着した状態で維持されやすくなる。
【００２６】
突出部５６は、ビルトインコンロ１がキッチンカウンター１００に設置されていない非設置状態において当該突出部５６が張出部５４に沿って延びる方向と直交する方向の断面（即ち、図９のような断面）をみたとき、当該突出部５６の少なくとも一部と張出部５４との間に空間が存在するようになっている。そして、突出部５６は、図１０のようなビルトインコンロ１の設置時に、トッププレート２の周縁部２Ｂと張出部５４とに挟まれつつ、当該突出部５６の少なくとも一部が張出部５４に向けて弾性変形するようになっている。このようにすれば、ビルトインコンロ１の設置時に空間の領域を低減又は無くすように突出部５６を変形させることができる。もし、突出部の高さが低減されにくい構成（突出部を高さを低減させるためにより大きな力が必要な構成）であると、ビルトインコンロの設置時に突出部の高さが大きすぎてトッププレートが浮き上がってしまうような事態が生じやすくなるが、上記構成によれば、このような事態が生じにくくなる。
【００２７】
また、図３、図８のように、筐体部３０に上端部には、筐体部３０をトッププレート２に固定するための爪部３８が設けられており、筐体部３０にトッププレート２を取り付けるときには、この爪部３８にトッププレート２の一部を引っ掛けるように係合させる構成をなしている。このような構成のものでは、上述したように突出部５６が空間９０を生じさせるように構成されていれば、トッププレート２を爪部３８に引っ掛ける工程においてトッププレート２の一部が突出部５６に当たっても、突出部５６が容易に変形しやすくなり、爪部３８にトッププレート２の一部を引っ掛ける工程を行いやすくなる。
【００２８】
＜他の実施例＞
本発明は上記記述及び図面によって説明した実施例に限定されるものではなく、例えば次のような例も本発明の技術的範囲に含まれる。また、上述した実施例の特徴や後述する実施例の特徴は矛盾しない範囲で様々に組み合わせることが可能である。
【００２９】
上述した実施例では、突出部が断面爪状に形成された例を示したが、突出部は断面三角形状、断面四角形状、断面環状形状など、様々な形状をとりうる。
【００３０】
上述した実施例では、ビルトインコンロがキッチンカウンターに設置されていない非設置状態において固定部の外側且つ下方側に張り出すように張出部が構成されていたが、固定部下方側に張り出していなくてもよく、固定部の側方において水平に張り出していてもよい。
【符号の説明】
【００３１】
１…ビルトインコンロ
２…トッププレート
５，６…ガスバーナ
３０…筐体部
３２…周壁部
３４…被支持部
５０…パッキン
５２…固定部
５４…張出部
５６…突出部
１００…キッチンカウンター
１０２…上面部
１０２Ａ…載置面
１０４…カウンター孔
【図１】
2019100578.tif 000003
【図２】
2019100578.tif 000004
【図３】
2019100578.tif 000005
【図４】
2019100578.tif 000006
【図５】
2019100578.tif 000007
【図６】
2019100578.tif 000008
【図７】
2019100578.tif 000009
【図８】
2019100578.tif 000010
【図９】
2019100578.tif 000011
【図１０】
2019100578.tif 000012
【図１１】
2019100578.tif 000013